(57)【要約】【課題】小型情報端末等を落とした場合に、すぐに拾い上げればロックを設定せず、紛失した場合（所定時間内に拾い上げられず放置された場合）にだけロックを設定する。【解決手段】小型情報端末１０に加わる加速度を加速度センサ１４により測定し、加速度センサ１４の測定結果を基に落下を検出し、落下検出時にタイマ１３を起動して所定時間のカウントを開始し、落下検出後所定時間内に上方向への移動があったかを検出し、落下検出後所定時間内に上方向への移動が検出されなかった場合にロックを設定する。【選択図】      図１
2008236336.tif 000002
【特許請求の範囲】
【請求項１】
加速度を測定する加速度センサと、所定時間をカウントするタイマと、前記加速度センサの測定結果を基に端末の落下を検出する落下検出手段と、落下検出時に前記タイマを起動して所定時間のカウント開始を指示するタイマ起動手段と、落下検出後所定時間内に上方向への移動があったかを検出する移動検出手段と、落下検出後所定時間内に上方向への移動が検出されなかった場合にロックを設定するロック設定手段とを有することを特徴とする小型情報端末。
【請求項２】
加速度を測定する加速度センサと、所定時間をカウントするタイマと、前記加速度センサの測定結果を基に端末の落下を検出する落下検出手段と、落下検出時に前記タイマを起動して所定時間のカウント開始を指示するタイマ起動手段と、落下検出後所定時間内に所定値以上の加速度が測定されたかを検出する移動検出手段と、落下検出後所定時間内に所定値以上の加速度が測定されなかった場合にロックを設定するロック設定手段とを有することを特徴とする小型情報端末。
【請求項３】
加速度を測定する加速度センサと、所定時間をカウントするタイマと、位置情報を取得するＧＰＳ測位部と、前記加速度センサの測定結果を基に端末の落下を検出する落下検出手段と、落下検出時に前記ＧＰＳ測位部から第１の位置情報を取得する落下時位置情報取得手段と、落下検出時に前記タイマを起動して所定時間のカウント開始を指示するタイマ起動手段と、落下検出から所定時間後に前記ＧＰＳ測位部から第２の位置情報を取得する所定時間後位置情報取得手段と、前記第１の位置情報と前記第２の位置情報を照合して一致した場合にロックを設定するロック設定手段とを有することを特徴とする小型情報端末。
【請求項４】
端末がアイドル状態か否かを検出し、アイドル状態のときに前記加速度センサを起動して測定開始を指示する加速度センサ起動手段を、さらに有することを特徴とする請求項１，２または３記載の小型情報端末。
【請求項５】
前記落下検出手段は無重力状態を検出した場合に落下と判断することを特徴とする請求項１，２，３または４記載の小型情報端末。
【請求項６】
端末に加わる加速度を加速度センサにより測定し、前記加速度センサの測定結果を基に端末の落下を検出し、落下検出時にタイマを起動して所定時間のカウントを開始し、落下検出後所定時間内に上方向への移動があったかを検出し、落下検出後所定時間内に上方向への移動が検出されなかった場合にロックを設定することを特徴とする落下時における小型情報端末のロック制御方法。
【請求項７】
端末に加わる加速度を加速度センサにより測定し、前記加速度センサの測定結果を基に端末の落下を検出し、落下検出時にタイマを起動して所定時間のカウントを開始し、落下検出後所定時間内に所定値以上の加速度が測定されたかを検出し、落下検出後所定時間内に所定値以上の加速度が測定されなかった場合にロックを設定することを特徴とする落下時における小型情報端末のロック制御方法。
【請求項８】
端末に加わる加速度を加速度センサにより測定し、前記加速度センサの測定結果を基に端末の落下を検出し、落下検出時にＧＰＳ測位部から第１の位置情報を取得するとともにタイマを起動して所定時間のカウントを開始し、落下検出から所定時間後に前記ＧＰＳ測位部から第２の位置情報を取得し、前記第１の位置情報と前記第２の位置情報を照合して一致した場合にロックを設定することを特徴とする落下時における小型情報端末のロック制御方法。
【請求項９】
加速度センサの測定結果を基に端末の落下を検出する機能、落下検出時にタイマを起動して所定時間のカウントを開始する機能、落下検出後所定時間内に上方向への移動があったかを検出する機能、落下検出後所定時間内に上方向への移動が検出されなかった場合にロックを設定する機能、をコンピュータに実現させるためのプログラム。
【請求項１０】
加速度センサの測定結果を基に端末の落下を検出する機能、落下検出時にタイマを起動して所定時間のカウントを開始する機能、落下検出後所定時間内に所定値以上の加速度が測定されたかを検出する機能、落下検出後所定時間内に所定値以上の加速度が測定されなかった場合にロックを設定する機能、をコンピュータに実現させるためのプログラム。
【請求項１１】
加速度センサの測定結果を基に端末の落下を検出する機能、落下検出時に第１の位置情報を取得するとともにタイマを起動して所定時間のカウントを開始する機能、落下検出から所定時間後に第２の位置情報を取得する機能、前記第１の位置情報と前記第２の位置情報を照合して一致した場合にロックを設定する機能、をコンピュータに実現させるためのプログラム。
【発明の詳細な説明】
【技術分野】
【０００１】
本発明は、紛失した端末の不正使用を未然に防止する小型情報端末，落下時における小型情報端末のロック制御方法およびプログラムに関する。
【背景技術】
【０００２】
紛失した小型情報端末の不正使用を防止する方法は、例えば、特開２００４−１２８５４７号公報（特許文献１）に開示されている。この特許文献１においては、
・端末において衝撃や落下速度を検出し、
・設定された閾値以上の衝撃や落下速度が検出された場合に端末の落下と判断し、
・落下と判断された場合に端末の動作制限を行う、
ことが記載されている。
また、この特許文献１においては、
・端末において衝撃のない状態を検出したときにタイマによる時間監視をスタートさせ、
・タイマが設定時間に到達したときに長時間放置と判断し、
・長時間放置と判断された場合に端末の動作制限を行う、
ことも記載されている。
【０００３】
【特許文献１】特開２００４−１２８５４７号公報（段落「００１２」〜「００１４」、「００２０」〜「００２１」、図１）
【発明の開示】
【発明が解決しようとする課題】
【０００４】
上述した特許文献１においては、端末の落下が発生した場合や、落下とは関係なく単に端末が所定時間以上移動のない状態になっている場合に、紛失したとみなして端末の動作制限を行うことを特徴としている。しかし、端末の落下が発生したとしても、ユーザがすぐに気付いて拾い上げる場合（第１の場合）や気付かずにそのまま放置される場合（第２の場合）がある。また、落下とは関係なく単に端末が所定時間以上移動のない状態になっていたとしても（例えば、机の上に所定時間以上置かれていた場合）、ユーザが故意にそうしている場合（第３の場合）や紛失して放置状態になっている場合（第４の場合）がある。特許文献１においては、第１〜第４の全ての場合において端末の動作制限を行うことになる。このため、紛失していない場合（第１の場合および第３の場合）においても端末の動作制限を行ってしまう結果になり、ユーザにとってはその度に動作制限解除操作を余儀なくされるという問題がある。
【０００５】
本発明の目的は、以上の課題を解決する小型情報端末，落下時における小型情報端末のロック制御方法およびプログラムを提供することにある。
【課題を解決するための手段】
【０００６】
本発明の第１の小型情報端末は、加速度を測定する加速度センサと、所定時間をカウントするタイマと、前記加速度センサの測定結果を基に端末の落下を検出する落下検出手段と、落下検出時に前記タイマを起動して所定時間のカウント開始を指示するタイマ起動手段と、落下検出後所定時間内に上方向への移動があったかを検出する移動検出手段と、落下検出後所定時間内に上方向への移動が検出されなかった場合にロックを設定するロック設定手段とを有する。
【０００７】
本発明の第２の小型情報端末は、加速度を測定する加速度センサと、所定時間をカウントするタイマと、前記加速度センサの測定結果を基に端末の落下を検出する落下検出手段と、落下検出時に前記タイマを起動して所定時間のカウント開始を指示するタイマ起動手段と、落下検出後所定時間内に所定値以上の加速度が測定されたかを検出する移動検出手段と、落下検出後所定時間内に所定値以上の加速度が測定されなかった場合にロックを設定するロック設定手段とを有する。
【０００８】
本発明の第３の小型情報端末は、加速度を測定する加速度センサと、所定時間をカウントするタイマと、位置情報を取得するＧＰＳ測位部と、前記加速度センサの測定結果を基に端末の落下を検出する落下検出手段と、落下検出時に前記ＧＰＳ測位部から第１の位置情報を取得する落下時位置情報取得手段と、落下検出時に前記タイマを起動して所定時間のカウント開始を指示するタイマ起動手段と、落下検出から所定時間後に前記ＧＰＳ測位部から第２の位置情報を取得する所定時間後位置情報取得手段と、前記第１の位置情報と前記第２の位置情報を照合して一致した場合にロックを設定するロック設定手段とを有する。
【０００９】
本発明の第４の小型情報端末は、本発明の第１，第２または第３の小型情報端末において、端末がアイドル状態か否かを検出し、アイドル状態のときに前記加速度センサを起動して測定開始を指示する加速度センサ起動手段を、さらに有する。
【００１０】
本発明の第５の小型情報端末は、本発明の第１，第２，第３または第４の小型情報端末において、前記落下検出手段は無重力状態を検出した場合に落下と判断することを特徴とする。
【００１１】
本発明の第１の落下時における小型情報端末のロック制御方法は、端末に加わる加速度を加速度センサにより測定し、前記加速度センサの測定結果を基に端末の落下を検出し、落下検出時にタイマを起動して所定時間のカウントを開始し、落下検出後所定時間内に上方向への移動があったかを検出し、落下検出後所定時間内に上方向への移動が検出されなかった場合にロックを設定することを特徴とする。
【００１２】
本発明の第２の落下時における小型情報端末のロック制御方法は、端末に加わる加速度を加速度センサにより測定し、前記加速度センサの測定結果を基に端末の落下を検出し、落下検出時にタイマを起動して所定時間のカウントを開始し、落下検出後所定時間内に所定値以上の加速度が測定されたかを検出し、落下検出後所定時間内に所定値以上の加速度が測定されなかった場合にロックを設定することを特徴とする。
【００１３】
本発明の第３の落下時における小型情報端末のロック制御方法は、端末に加わる加速度を加速度センサにより測定し、前記加速度センサの測定結果を基に端末の落下を検出し、落下検出時にＧＰＳ測位部から第１の位置情報を取得するとともにタイマを起動して所定時間のカウントを開始し、落下検出から所定時間後に前記ＧＰＳ測位部から第２の位置情報を取得し、前記第１の位置情報と前記第２の位置情報を照合して一致した場合にロックを設定することを特徴とする。
【００１４】
本発明の第１のプログラムは、加速度センサの測定結果を基に端末の落下を検出する機能、落下検出時にタイマを起動して所定時間のカウントを開始する機能、落下検出後所定時間内に上方向への移動があったかを検出する機能、落下検出後所定時間内に上方向への移動が検出されなかった場合にロックを設定する機能、をコンピュータに実現させる。
【００１５】
本発明の第２のプログラムは、加速度センサの測定結果を基に端末の落下を検出する機能、落下検出時にタイマを起動して所定時間のカウントを開始する機能、落下検出後所定時間内に所定値以上の加速度が測定されたかを検出する機能、落下検出後所定時間内に所定値以上の加速度が測定されなかった場合にロックを設定する機能、をコンピュータに実現させる。
【００１６】
本発明の第３のプログラムは、加速度センサの測定結果を基に端末の落下を検出する機能、落下検出時に第１の位置情報を取得するとともにタイマを起動して所定時間のカウントを開始する機能、落下検出から所定時間後に第２の位置情報を取得する機能、前記第１の位置情報と前記第２の位置情報を照合して一致した場合にロックを設定する機能、をコンピュータに実現させる。
【発明の効果】
【００１７】
本発明においては、加速度センサによる落下検出後の所定時間内に落下端末の移動が検出されなかった場合にロックを設定し、移動が検出された場合にロックを設定しないようにしている。これにより、小型情報端末等を落とした場合に、すぐに拾い上げればロックが設定されず、紛失した場合（所定時間内に拾い上げられず放置された場合）にだけロックが設定されるため、無駄なロック設定を防止できるという効果が得られる。
【発明を実施するための最良の形態】
【００１８】
本発明の実施の形態について図面を参照して詳細に説明する。
【００１９】
図１は、本発明の第１の実施の形態の構成を示す図である。図１を参照すると、本発明の小型情報端末１０は、操作部１１と、表示部１２と、タイマ１３と、加速度センサ１４と、制御部１５とを備えている。
【００２０】
小型情報端末１０は、携帯電話機，ＰＨＳ(Personal Handyphone System)，ＰＤＡ(Personal Digital Assistance)や、ノート型パーソナルコンピュータ等の携帯情報端末であ
る。操作部１１はテンキー，機能キー，ポインティングデバイス等の入力装置であり、表示部１２はＬＣＤ(Liquid Crystal Display)等の表示装置である。タイマ１３は制御部１５からの指示により所定の時間をカウントし、カウント終了を制御部１５に通知する機能を備えている。加速度センサ１４は、例えば、３軸加速度センサであり、互いに直交するＸ，Ｙ，Ｚ軸の加速度データを測定するものである。制御部１５は、ＣＰＵ(Central Processing Unit)等の制御装置であり、プログラムにより動作を制御される。この制御部１
５は、
・小型情報端末１０がアイドル状態（待ち受け状態）になったときに、加速度センサ１４を起動して加速度の測定開始を指示する機能と、
・加速度センサ１４により無重力状態が検出されたときに、タイマ１３を起動して所定時間のカウントを指示する機能と、
・所定時間以内に加速度センサ１４による小型情報端末１０の移動が検出されなかった場合、小型情報端末１０をロック状態に設定する機能と、
を備えている。
【００２１】
次に、本発明の第１の実施の形態の動作について図１および図２を参照して説明する。図２は、本発明の第１の実施の形態の動作を示すフローチャートである。
【００２２】
図２を参照すると、制御部１５は小型情報端末１０がアイドル状態（待ち受け状態）か否かを検出し、アイドル状態であった場合に加速度センサ１４を起動して加速度の測定開始を指示する。なお、加速度センサ１４の起動は、例えば、加速度センサ１４の図示しない駆動電源部をＯＮすることにより行う（ステップＡ１→ステップＡ２）。加速度センサ１４は加速度の測定を開始し（ステップＡ３）、無重力状態になったか否かを検出する。この無重力状態の検出は小型情報端末１０の落下を検出するためのものであり、所定値以下の加速度になった場合に無重力状態と判断する。例えば、通常状態（手に持った状態や机上に置かれた状態等）では小型情報端末１０に加わる加速度は１Ｇであるため、無重力状態（落下状態）を検出するための所定値（閾値）を、例えば、０．４Ｇとし、加速度が０．４Ｇ以下になったときに無重力状態と判断する。そして、加速度センサ１４は小型情報端末１０の落下を無重力状態になったことにより検出すると、制御部１５にその旨を通知する。なお、加速度センサ１４による無重力状態（落下状態）の検出方法の詳細は、例えば、特開２００６−２９２６９０号公報に記載されているように公知であり、また、検出方法の詳細を述べることが本発明の主旨でもないため、これ以上の説明は省略する（ステップＡ４）。
【００２３】
加速度センサ１４により小型情報端末１０の落下が検出されると、制御部１５はタイマ１３を起動して所定時間（例えば、１５秒）を設定しカウント開始を指示する（ステップＡ５）。その後、制御部１５は一定時間間隔（例えば、０．５秒間隔）で加速度センサ１４による加速度検出状況を参照し、加速度センサ１４による上方向への移動検出があったかを確認する。例えば、小型情報端末１０が置かれた状態で、加速度センサ１４が小型情報端末１０の上下方向がＺ軸方向になるように内蔵されているとする。携帯電話機を例にとると、落下した場合に薄い側面ではなく表面（操作部１１や表示部１２等が実装されている面）や裏面が上または下になった状態になるため、加速度センサ１４のＺ軸方向は上下方向（表面，裏面と直交する方向）になる。そして、加速度センサ１４のＺ軸の加速度データが所定値以上になった場合に上方向への移動があったと判断することで、上方向への移動検出が行われることになる（ステップＡ６）。加速度センサ１４による上方向への移動検出があった場合はステップＡ１に戻る。ここで、上方向への移動検出があったということは、小型情報端末１０が落下後所定時間内に拾い上げられたことを意味し、ユーザが落としたことに気付いてすぐに拾い上げた可能性が高いため、ロック状態の設定は行わない（ステップＡ６→ステップＡ１）。
【００２４】
ステップＡ６において、上方向への移動検出がなかった場合、制御部１５はタイマ１３による所定時間のカウントが終了しているかを確認する（ステップＡ６→ステップＡ７）。所定時間のカウントが終了していなければステップＡ６に戻り、制御部１５は一定時間間隔で加速度センサ１４の検出状況を監視する（ステップＡ７→ステップＡ６）。ステップＡ７において、所定時間のカウントが終了した場合は、制御部１５は小型情報端末１０をロック状態に設定する。ここで、落下後所定時間内に上方向への移動検出がなかったということは、小型情報端末１０の落下にユーザが気付かず放置されている可能性が高いことから、第三者による不正使用を防止するためロック状態の設定を行う。なお、ロック状態の設定については、電話帳，スケジュール等の個人情報ロックや内蔵ＩＣカードロック等の各種ロックがあるが、本発明はロックの種類には限定されず、任意のロック機能を設定することができる（ステップＡ７→ステップＡ８）。
【００２５】
なお、図示していないが、ステップＡ８において小型情報端末１０がロックされた後にロックされた機能へのアクセスが発生した場合、制御部１５はロック解除用パスワード入力要求画面を表示部１２に表示する。そして、ユーザにより操作部１１から入力されたパスワードが解除用パスワードと一致した場合に、制御部１５は小型情報端末１０のロックを解除することになる。
【００２６】
以上説明したように、本実施の形態においては、加速度センサ１４による落下検出後の所定時間内に、小型情報端末１０の移動が加速度センサ１４により検出されなかった場合にロックを設定し、移動が検出された場合にロックを設定しないようにしている。これにより、小型情報端末１０を落とした場合に、すぐに拾い上げればロックが設定されず、紛失した場合（所定時間内に拾い上げられず放置された場合）にだけロックが設定されるため、無駄なロック設定を防止できるという効果が得られる。
【００２７】
次に、本発明の第２の実施の形態について説明する。
【００２８】
本実施の形態が第１の実施の形態と異なる点は、小型情報端末１０落下後の移動の検出を加速度センサ１４ではなく、位置情報の照合により行うようにした点である。
【００２９】
図３は、本発明の第２の実施の形態の構成を示す図であり、図１（第１の実施の形態の構成）に比べ、ＧＰＳ測位部１６と記憶部１７とが追加されている。ＧＰＳ測位部１６は、複数のＧＰＳ(Global Positioning System)衛星から到来する信号を図示しないＧＰＳ
アンテナを介して捕捉し、位置情報（緯度／経度等）を演算，取得する機能を備えている。記憶部１７は読み出し，書き込み可能な記憶装置であり、位置情報格納領域１７１を含んでいる。位置情報格納領域１７１には、ＧＰＳ測位部１６が取得した位置情報が格納される。
【００３０】
次に、本発明の第２の実施の形態の動作について図３および図４を参照して説明する。
図４は、本発明の第２の実施の形態の動作を示すフローチャートである。
【００３１】
図４を参照すると、制御部１５は小型情報端末１０がアイドル状態（待ち受け状態）になった場合に、加速度センサ１４を起動して加速度の測定開始を指示する。なお、加速度センサ１４の起動は、例えば、加速度センサ１４の図示しない駆動電源部をＯＮすることにより行う（ステップＢ１→ステップＢ２）。加速度センサ１４は加速度の測定を開始し（ステップＢ３）、無重力状態になったか否かを検出する。この無重力状態の検出は小型情報端末１０の落下を検出するためのものであり、所定値以下の加速度になった場合に無重力状態と判断する。例えば、通常状態（手に持った状態や机上に置かれた場合等）では重力加速度は１Ｇであるため、無重力状態（落下状態）を検出するための所定値（閾値）を、例えば、０．４Ｇとし、重力加速度が０．４Ｇ以下になったときに無重力状態と判断する。そして、加速度センサ１４は無重力状態になったことにより小型情報端末１０の落下を検出すると、制御部１５にその旨を通知する。なお、加速度センサ１４による無重力状態（落下状態）の検出方法の詳細は、例えば、特開２００６−２９２６９０号公報に記載されているように公知であり、検出方法の詳細を述べることが本発明の主旨でもないため、これ以上の説明は省略する（ステップＢ４）。
【００３２】
加速度センサ１４により小型情報端末１０の落下が検出されると、制御部１５はＧＰＳ測位部１６を起動し位置情報の取得を指示する（ステップＢ５）。ＧＰＳ測位部１６は位置情報を取得し、制御部１５は取得した位置情報を落下時位置情報として記憶部１７の位置情報格納領域１７１に格納する（ステップＢ６）。次に、制御部１５はタイマ１３を起動して所定時間（例えば、３０秒）を設定しカウント開始を指示する（ステップＢ７）。タイマ１３は時間をカウントし、設定された時間が経過すると制御部１５にその旨を通知する。制御部１５はＧＰＳ測位部１６に位置情報の取得を指示し、ＧＰＳ測位部１６により取得された位置情報を所定時間経過後位置情報として位置情報格納領域１７１に格納する（ステップＢ８→ステップＢ９）。
【００３３】
次に、制御部１５は位置情報格納領域１７１から落下時位置情報と所定時間経過後位置情報とを取得し、これらを照合する（ステップＢ１０）。照合の結果、位置情報が一致しなかった場合、制御部１５はＧＰＳ測位部１６の起動を終了し、ステップＢ１に戻る。ここで、落下時と落下から所定時間経過後の位置情報が一致しなかったということは、ユーザが移動中等に小型情報端末１０を落としたことに気付きすぐに拾い上げた可能性が高いため、ロック状態の設定は行わない（ステップＢ１１→ステップＢ１２→ステップＢ１）。ステップＢ１０における照合の結果、位置情報が一致した場合は、制御部１５は小型情報端末１０をロック状態に設定する。ここで、落下時と落下から所定時間経過後の位置情報が一致したということは、落下にユーザが気付かず放置されている可能性が高いことから、第三者による不正使用を防止するためロック状態の設定を行う（ステップＢ１１→ステップＢ１３）。
【００３４】
以上説明したように、本実施の形態においては、落下検出時と落下検出から所定時間経過後における位置情報をＧＰＳ測位部１６で取得し、制御部１５による照合の結果、一致した場合にロックを設定し、一致しなかった場合にロックを設定しないようにしている。これにより、移動中に小型情報端末１０を落とした場合に、すぐに拾い上げればロックが設定されず、紛失した場合（所定時間内に拾い上げられず放置された場合）にだけロックが設定されるため、無駄なロック設定を防止できるという効果が得られる。
【００３５】
次に、本発明の応用例，変形例等について説明する。
【００３６】
・上述した第１または第２の実施の形態においては、加速度センサ１４により無重力状態を検出して落下と判断したが、所定値以上の落下速度を検出して落下と判断するようにしてもよい。
【００３７】
・上述した第１または第２の実施の形態においては、加速度センサ１４が無重力状態（落下）を検出して制御部１５に通知するとして説明したが、加速度センサ１４の測定結果を基に制御部１５が無重力状態（落下）を検出するようにしてもよい。。
【００３８】
・上述した第１の実施の形態においては、落下後所定時間内に上方向への移動検出がなかった場合にロックを設定するとして説明したが、方向に関係なく落下後所定時間内に所定値以上の加速度が検出されなかった場合にロックを設定するようにしてもよい。この場合、加速度センサ１４のＸ軸，Ｙ軸，Ｚ軸のいずれかにおいて所定値以上の加速度が測定されることによって移動があったと判断する。これにより、落下した場合にどの面が上下方向になるか分からないような端末においても、移動の検出が可能になるという効果が得られる。
【図面の簡単な説明】
【００３９】
【図１】本発明の第１の実施の形態の構成を示す図である。
【図２】本発明の第１の実施の形態の動作を示すフローチャートである。
【図３】本発明の第２の実施の形態の構成を示す図である。
【図４】本発明の第２の実施の形態の動作を示すフローチャートである。
【符号の説明】
【００４０】
１０    小型情報端末
１１    操作部
１２    表示部
１３    タイマ
１４    加速度センサ
１５    制御部
１６    ＧＰＳ測位部
１７    記憶部
１７１    位置情報格納領域
【図１】
2008236336.tif 000003
【図２】
2008236336.tif 000004
【図３】
2008236336.tif 000005
【図４】
2008236336.tif 000006